(57)【特許請求の範囲】
【請求項１】
芯金と覆い部と弾性リップとを備え、外輪が回転する軸受の外輪と内輪の間に配置されて、外輪と内輪の間の空間を密封するようになっていると共に、外輪に固着されていて外輪と一緒に回転する軸受の密封装置において、
上記内輪は、軸方向の端に位置する軸端凸部と、この軸端凸部の軸方向内側に隣接する凹部と、この凹部の軸方向内側に隣接し、上記軸端凸部よりも大径の肩部とを有しており、
上記内輪に摺接される上記弾性リップは、
上記内輪の大径の肩部の外周面に対向して上記外周面との間に空気が容易に通過できるが油が容易に通過できない狭路を形成する対向面と、上記対向面に対して所定の掬い上げ角度をなす掬面とを有するテーパー先端部を有する内側リップと、
上記内側リップの軸方向外方の隣りに位置しており、自由端の径が上記内輪の軸端凸部よりも大きくて上記内輪の大径肩部よりも小さく、軸方向に対して直角方向に上記芯金先端から延びており、上記大径肩部の軸方向端面に摺接する中間リップと、
上記中間リップの軸方向外方の隣りに位置しており、軸方向に対して直角方向に上記芯金先端から上記中間リップよりも長くなるように延びており、上記軸端凸部の軸方向内方の側面に摺接する外側リップとを備えており、
上記内側リップと上記中間リップの間には径方向外側に窪んでいる周溝が形成されており、
上記中間リップと上記外側リップには軸方向に貫通する切り欠きが形成されており、
上記芯金先端は上記内側リップに向かって延びていることを特徴とする軸受の密封装置。
【発明の詳細な説明】
【０００１】
【産業上の利用分野】
この発明は、軸受からグリースが漏れ出すことを防止する特に外輪回転用軸受の密封装置に関する。
【０００２】
【従来の技術】
従来、この種の軸受の密封装置としては、図３に示すものがある。この密封装置は、内輪７１の外周面７１Ａに形成された環状溝７２の軸方向外方の側面７２Ａに摺動可能に接している主リップ７３と、上記側面７２Ａに対向する傾斜側面７２Ｂとの間に所定の隙間を隔てた副リップ７５とを備えている。尚、主リップ７３と副リップ７５はその根元で合流して一体になっており、図示しない径方向外方の端部が外輪に固定されている。
【０００３】
この密封装置は、副リップ７５が軸受内部からのグリースを堰止める。また、副リップ７５を通過したグリースは主リップ７３によって堰止められる。
【０００４】
【発明が解決しようとする課題】
ところが、上記従来の軸受の密封装置では、使用条件によっては、副リップ７５を通過したグリースが主リップ７３を通過してしまうことがあり、グリース漏れの防止が不完全であるという問題がある。
【０００５】
そこで、この発明の目的は、グリース漏れを略完全に防止できる軸受の密封装置を提供することにある。
【０００６】
【課題を解決するための手段】
上記目的を達成するため、この発明の軸受の密封装置は、芯金と覆い部と弾性リップとを備え、外輪が回転する軸受の外輪と内輪の間に配置されて、外輪と内輪の間の空間を密封するようになっていると共に、外輪に固着されていて外輪と一緒に回転する軸受の密封装置において、
上記内輪は、軸方向の端に位置する軸端凸部と、この軸端凸部の軸方向内側に隣接する凹部と、この凹部の軸方向内側に隣接し、上記軸端凸部よりも大径の肩部とを有しており、
上記内輪に摺接される上記弾性リップは、
上記内輪の大径の肩部の外周面に対向して上記外周面との間に空気が容易に通過できるが油が容易に通過できない狭路を形成する対向面と、上記対向面に対して所定の掬い上げ角度をなす掬面とを有するテーパー先端部を有する内側リップと、
上記内側リップの軸方向外方の隣りに位置しており、自由端の径が上記内輪の軸端凸部よりも大きくて上記内輪の大径肩部よりも小さく、軸方向に対して直角方向に上記芯金先端から延びており、上記大径肩部の軸方向端面に摺接する中間リップと、
上記中間リップの軸方向外方の隣りに位置しており、軸方向に対して直角方向に上記芯金先端から上記中間リップよりも長くなるように延びており、上記軸端凸部の軸方向内方の側面に摺接する外側リップとを備えており、
上記内側リップと上記中間リップの間には径方向外側にくぼむ周溝が形成されており、
上記中間リップと上記外側リップには軸方向に貫通する切り欠きが形成されており、
上記芯金先端は上記内側リップに向かって延びていることを特徴としている。
【０００７】
【作用】
この発明の軸受の密封装置によれば、上記弾性リップの内側リップのテーパー先端部は、その対向面が内輪の大径肩部の外周面に対向して上記外周面との間に狭路を形成する。この狭路は、空気を容易に通過させるが油を容易に通過させない。したがって、内輪の外周面に沿って軸方向外方に移動するグリースは、テーパー先端部に達すると上記掬面に沿って進行することになる。
【０００８】
さらに、上記内側リップが形成する上記狭路を通過したグリースは、上記中間リップで堰止められる。さらに、上記中間リップを通過したグリースは、上記内輪の凹部に溜まる。この凹部に溜まったグリースは外側リップによって外部への流出が阻止される。また、上記外側リップは、外部から軸受内に異物が侵入することを防ぐ役目も果たしている。
【０００９】
このように、この発明によれば、内側リップと中間リップと外側リップによって、３段階にグリース漏れを防いでいるから、略完全にグリース漏れを防止することができる。更には、上記中間リップと外側リップは、軸方向に対して直角方向に延びているから、外輪の回転による遠心力が働いても、径方向に撓み難い。従って、回転中も常にグリースの漏れを略完全に防止することができる。
また、この発明によれば、上記中間リップの自由端の径が上記内輪の軸端凸部よりも大きいから、内輪の軸方向の外方から外輪に装着するときに、中間リップが内輪に当たらない。したがって、装着時に中間リップが捲れることを防止できる。
【００１０】
【実施例】
以下、この発明を図示の実施例により詳細に説明する。
【００１１】
図１に、この発明の軸受の密封装置の実施例を示す。この実施例は、外輪１が回転する軸受の外輪１と内輪２との間に配置されて、外輪１と内輪２との間の空間を密封する密封装置である。上記軸受は、外輪１と内輪２との間に円環状に配置された複数の玉３を有している。また、上記複数の玉３には、プラスチック製の冠型の保持器４が嵌合されている。そして、上記内輪２は、軸方向の端に位置する軸端凸部５と、この軸端凸部５の軸方向内側に隣接する凹部６と、この凹部６の軸方向内側に隣接し、上記軸端凸部５よりも大径の肩部７とを有している。
【００１２】
この実施例の軸受の密封装置は、外輪１の内周面に形成された環状の溝８に圧入されて固定された固定部１１と、この固定部１１から径方向内方に延びて外輪１と内輪２との間の空間を覆う覆い部１２と、この覆い部１２から内輪２の外周面２Ａに向かって延びる弾性リップ１３とを備えている。また、この実施例の固定部１１と覆い部１２には、芯金１５が貫通しており、この芯金１５は、径方向内側に窪み１５Ａを有する円環形状になっている。
【００１３】
また、上記弾性リップ１３は、内側リップ１６と中間リップ１７と外側リップ１８とを有している。内側リップ１６は、テーパー先端部２０を有し、このテーパー先端部２０は、内輪２の大径の肩部７の外周面７Ａに対向して外周面７Ａとの間に空気が容易に通過できるが油が容易に通過できない狭路２１を形成する対向面２２と、この対向面２２に対して所定の掬い上げ角度(約４５°)をなす掬面２３とを有する。また、上記中間リップ１７は、内側リップ１６の軸方向外方の隣りに位置しており、軸方向に対して直角方向に延びている。この中間リップ１７は、自由端１７Ｔの径が内輪２の軸端凸部５よりも大きくて内輪２の大径肩部７よりも小さい。そして、この中間リップ１７の先端の軸方向突出部１７Ａは、大径肩部７の軸方向端面７Ｂに接触させられている。また、軸方向突出部１７Ａは、軸方向に貫通している切り欠き１７Ａ−１を有している。
【００１４】
また、上記外側リップ１８は、中間リップ１７の軸方向外方の隣りに位置しており、軸方向に対して直角方向に延びている。そして、外側リップ１８の先端で軸方向に突き出した突出部１８Ａは、内輪２の軸端凸部５の軸方向内方の側面５Ａに摺接している。また、突出部１８Ａは、軸方向に貫通している切り欠き１８Ａ−１を有している。
【００１５】
上記構成の軸受の密封装置は、図１に矢印Ｃで示すように、内輪２の外周面２Ａに沿って軸方向外方に進行するグリースを、弾性リップ１３の内側リップ１６のテーパー先端部２０の掬面２３で掬い上げることができる。なぜならば、上記テーパー先端部２０の対向面２２が内輪２の外周面２Ａとの間に形成する狭路２１は、空気を容易に通過させるが油を容易に通過させないからである。したがって、上記掬面２３で掬い上げられたグリースは、外輪１に向かって誘導され、外部に漏れ出すことが防がれる。
【００１６】
そして、上記内側リップ１６が形成する狭路２１を通過したグリースは、内輪２の凹部６に向かうが、その途中で中間リップ１７によって堰止められる。ただし、空気は、中間リップ１７の軸方向突出部１７Ａの切り欠き１７Ａー１を通過することができる。
【００１７】
そして、上記中間リップ１７を通過したグリースは、上記凹部６に溜まる。そして、この凹部６に溜まったグリースは、外側リップ１８によって堰止められて、外部への流出が防止される。なお、この外側リップ１８の先端の突出部１８Ａに形成された切り欠き１８Ａ−１は、空気を流通させることができる。また、外側リップ１８は、外部から軸受に異物が侵入することを防止する働きもする。
【００１８】
このように、この実施例によれば、内側リップ１６と中間リップ１７と外側リップ１８とによって、３段階にグリース漏れを防ぐことができるから、略完全にグリース漏れを防止することができる。さらには、上記中間リップ１７と外側リップ１８は、軸方向に対して直角方向に延びているから、外輪１の回転による遠心力が働いても、径方向に撓み難い。したがって、回転中も常にグリースの漏れを略完全に防止することができる。また、この実施例によれば、上記中間リップ１７の自由端１７Ｔの径が内輪２の軸端凸部５よりも大きくて、かつ、内輪２の大径肩部７よりも小さいので、内輪２の軸方向の外方から外輪１に装着するときに、中間リップ１７が内輪２に当たることがない。したがって、装着時に、中間リップ１７が捲れ上がることを防止できる。
【００１９】
なお、上記実施例では、中間リップ１７の先端の軸方向突出部１７Ａを略矩形にしたが、図２(Ａ)に示すように、中間リップ１７が略半円形の軸方向突出部１７Ｄを有しており、突出部１７Ｄが径方向に貫通した切り欠き１７Ｄ−１を有していてもよい。また、図２(Ｂ)に示すように、中間リップ１７が軸方向突出部を有しておらず、軸方向に貫通した切り欠きＫを有する丸まった先端１７Ｋを備えていてもよい。また、図２(Ｃ)に示すように、中間リップ１７が軸方向突出部を有しておらず、肩部７の外周面７Ａに対向する先端の窪み１７Ｌを備えていてもよい。
【００２０】
尚、上記実施例では、軸受の保持器を樹脂製の冠型保持器としたが、鉄製の波形保持器であってもよい。また、上記実施例では、密封装置が軸受の軸方向片側に設けられているが、軸方向両側のスペースに設けてもよい。
【００２１】
【発明の効果】
以上より明らかなように、この発明の軸受の密封装置が有する弾性リップの内側リップのテーパー先端部は、その対向面が内輪の大径肩部の外周面に対向して上記外周面との間に狭路を形成する。この狭路は、空気を容易に通過させるが油を容易に通過させない。したがって、内輪の外周面に沿って軸方向外方に移動するグリースは、テーパー先端部に達すると掬面に沿って進行するが上記狭路は通過し難い。したがって、この発明によれば、グリースが狭路から外部に流出することを防止できる。
【００２２】
また、上記狭路を通過したグリースは、次に中間リップで堰止められる。さらに、上記中間リップを通過したグリースは、上記内輪の凹部に溜まる。この凹部に溜まったグリースは外側リップによって外部への流出が阻止される。
【００２３】
このように、この発明によれば、内側リップと中間リップと外側リップによって、３段階にグリース漏れを防いでいるから、略完全にグリース漏れを防止することができる。更には、上記中間リップと外側リップは、軸方向に対して直角方向に延びているから、外輪の回転による遠心力が働いても、径方向に撓み難い。従って、回転中も常にグリースの漏れを略完全に防止することができる。
また、この発明によれば、上記中間リップの自由端の径が上記内輪の軸端凸部よりも大きいから、内輪の軸方向の外方から外輪に装着するときに、中間リップが内輪に当たらない。したがって、装着時に中間リップが捲れることを防止できる。したがって、この発明の密封装置は、軸受への装着が容易である。
【図面の簡単な説明】
【図１】  この発明の軸受の密封装置の実施例の断面図である。
【図２】  上記実施例の中間リップの変形例の断面図である。
【図３】  従来の軸受の密封装置の断面図である。
【符号の説明】
１…外輪、２…内輪、３…玉、４…保持器、５…軸端凸部、６…凹部、
７…肩部、１１…固定部、１２…覆い部、１３…弾性リップ、１５…芯金、
１６…内側リップ、１７…中間リップ、１７Ｔ…自由端、
１８…外側リップ、１８Ａ…突出部、１８Ａ−１…切り欠き、
２０…テーパー先端部、２１…狭路、２２…対向面、２３…掬面。
【図１】
0003923547.tif 000002
【図２】
0003923547.tif 000003
【図３】
0003923547.tif 000004